(57)【特許請求の範囲】
【請求項１】
表示部と、
第１画像及び第２画像を前記表示部に表示させる制御部と、
前記表示部の表示面への第１被検出物の接触と第２被検出物の接触とを検出する検出部と
を備え、
前記表示面のうち前記第１画像に対応する領域への前記第１被検出物の接触と、前記表示面のうち前記第２画像に対応する領域への前記第２被検出物の接触とが検出されたことに応じて、前記制御部は、前記第１画像に対応する情報と前記第２画像に対応する情報とを対話形式で受け付け、
前記制御部は、前記第１画像に対応する前記情報及び前記第２画像に対応する前記情報の一方を受け付ける画面を前記表示部に表示させ、前記画面に代えて前記第１画像に対応する前記情報及び前記第２画像に対応する前記情報の他方を受け付ける画面を前記表示部に表示させる、表示装置。
【請求項２】
前記第１画像に対応する前記情報と前記第２画像に対応する前記情報とを対話形式で連続して受け付けることができるか否かを示す受付可否情報を記憶する記憶部をさらに備え、
前記制御部は、前記受付可否情報を参照して、前記第１画像に対応する前記情報と前記第２画像に対応する前記情報とを対話形式で連続して受け付けることができないと判定した場合、前記第１画像に対応する前記情報及び前記第２画像に対応する前記情報のうち、いずれか一方を受け付ける、請求項１に記載の表示装置。
【請求項３】
前記第１画像に対応する前記情報と前記第２画像に対応する前記情報とのうちいずれかの情報の受付をスキップするか否かを示すスキップ情報を記憶する記憶部をさらに備え、
前記制御部は、前記スキップ情報を参照して、前記第１画像に対応する前記情報と前記第２画像に対応する前記情報とのうち、スキップすることが示された情報の受付をスキップし、スキップすることが示されていない情報を受け付ける、請求項１または請求項２に記載の表示装置。
【請求項４】
前記第１画像に対応する前記情報と前記第２画像に対応する前記情報とを受け付けるときの順番を示す情報を記憶する記憶部をさらに備え、
前記制御部は、前記順番を示す前記情報を参照して、前記第１画像に対応する前記情報と前記第２画像に対応する前記情報とを前記順番に従って対話形式で受け付ける、請求項１から請求項３のいずれか１項に記載の表示装置。
【請求項５】
前記制御部は、前記第１画像及び前記第２画像と異なる第３画像を前記表示部に表示させ、
前記第１画像に対応する前記領域への前記第１被検出物の接触と、前記表示面のうち前記第３画像に対応する領域への前記第２被検出物の接触とが検出されている間、前記制御部は、
前記第１画像と前記第３画像との間に表示されている複数の画像と、前記複数の画像のうち最後尾の画像に後続する画像とを前記第１画像に向けてスクロールさせ、
スクロールしている前記画像のうち前記第１画像に到達した画像を非表示にする、請求項１から請求項４のいずれか１項に記載の表示装置。
【請求項６】
前記第２被検出物が前記第３画像に対応する前記領域から、前記第１画像と前記第３画像との間に表示された前記第２画像に対応する前記領域へ移動したことが検出されたことに応じて、前記制御部は、前記第１画像に対応する前記情報と前記第２画像に対応する前記情報とを対話形式で受け付ける、請求項５に記載の表示装置。
【請求項７】
表示部と、
第１画像及び第２画像を前記表示部に表示させる制御部と、
前記表示部の表示面への第１被検出物の接触と第２被検出物の接触とを検出する検出部と
を備え、
前記表示面のうち前記第１画像に対応する領域への前記第１被検出物の接触と、前記表示面のうち前記第２画像に対応する領域への前記第２被検出物の接触とが検出されたことに応じて、前記制御部は、前記第１画像に対応する情報と前記第２画像に対応する情報とを対話形式で受け付け、
前記制御部は、前記第１画像及び前記第２画像と異なる第３画像を前記表示部に表示させ、
前記第１画像に対応する前記領域への前記第１被検出物の接触と、前記表示面のうち前記第３画像に対応する領域への前記第２被検出物の接触とが検出されている間、前記制御部は、
前記第１画像と前記第３画像との間に表示されている複数の画像と、前記複数の画像のうち最後尾の画像に後続する画像とを前記第１画像に向けてスクロールさせ、
スクロールしている前記画像のうち前記第１画像に到達した画像を非表示にする、表示装置。
【請求項８】
請求項１から請求項７のいずれか１項に記載の表示装置と、
前記第１画像に対応する情報と前記第２画像に対応する情報とに基づいて、シートに画像を形成する画像形成部と
を備える、画像形成装置。
【発明の詳細な説明】
【技術分野】
【０００１】
本発明は、表示装置、及び画像形成装置に関する。
【背景技術】
【０００２】
従来、装置の複数の設定を変更する場合、ユーザーは、設定を１つずつ選択し、選択した設定ごとに情報を変更した。しかしながら、複数の設定を１つずつ選択して変更することは、ユーザーにとって煩わしい。
【０００３】
そこで、特許文献１に記載のデータ処理装置では、複数のボックスを画面上に表示する。画面上で処理対象とすべきデータを選択した状態で、複数のボックス上を接触しつつ通過するように移動する操作が検出されると、ワークフロー順序が決定される。データ処理装置は、決定されたワークフロー順序に基づいて、データ処理を実行する。
【先行技術文献】
【特許文献】
【０００４】
【特許文献１】特開２００５−１４８９９３号公報
【発明の概要】
【発明が解決しようとする課題】
【０００５】
しかしながら、特許文献１に記載されたデータ処理装置では、装置の複数の設定を変更する場合、予め複数の設定を選択してワークフローを登録する必要がある。ワークフローを登録する操作は、ユーザーにとって煩わしい。
【０００６】
本発明は、上記課題に鑑みてなされたものであり、複数の情報を対話形式で受け付ける処理を予め登録する操作を不要とし、ユーザーは、簡易な操作で複数の情報を対話形式で入力できる表示装置及び画像形成装置を提供することを目的としている。
【課題を解決するための手段】
【０００７】
本発明の第１の観点によれば、表示装置は、表示部と、制御部と、検出部とを備える。制御部は、第１画像及び第２画像を前記表示部に表示させる。検出部は、前記表示部の表示面への第１被検出物の接触と第２被検出物の接触とを検出する。前記表示面のうち前記第１画像に対応する領域への前記第１被検出物の接触と、前記表示面のうち前記第２画像に対応する領域への前記第２被検出物の接触とが検出されたことに応じて、前記制御部は、前記第１画像に対応する情報と前記第２画像に対応する情報とを対話形式で受け付ける。
【０００８】
本発明の第２の観点によれば、画像形成装置は、本発明の第１の観点による表示装置と、画像形成部とを備える。画像形成部は、前記第１画像に対応する情報と前記第２画像に対応する情報とに基づいて、シートに画像を形成する。
【発明の効果】
【０００９】
本発明によれば、複数の情報を対話形式で受け付ける処理を予め登録する操作を不要とし、ユーザーは、簡易な操作で複数の情報を対話形式で入力できる。
【図面の簡単な説明】
【００１０】
【図１】本発明の実施形態１に係る表示装置を示す図である。
【図２】本発明の実施形態１に係る表示装置が備える表示部を示す図である。
【図３】（ａ）本発明の実施形態１に係る表示装置の表示部に表示される初期画面を示す図である。（ｂ）本発明の実施形態１に係る表示装置の表示部に表示される第１画面を示す図である。（ｃ）本発明の実施形態１に係る表示装置の表示部に表示される第２画面を示す図である。
【図４】本発明の実施形態１に係る表示装置が実行する情報受付制御を示すフローチャートである。
【図５】（ａ）（ｂ）本発明の実施形態１に係る表示装置が実行するスクロール制御を示す図である。
【図６】本発明の実施形態１に係る表示装置が実行するスクロール制御を示すフローチャートである。
【図７】本発明の実施形態２に係る画像形成装置を示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
（実施形態１）
図１〜図３を参照して、本発明の実施形態１に係る表示装置１について説明する。図１は、表示装置１を示す。図２は、表示装置１が備える表示部２０を示す。表示装置１は、制御部１０と、表示部２０と、検出部としてのタッチパネル３０と、記憶部４０とを備える。表示部２０は、例えば、液晶ディスプレーである。記憶部４０は、主記憶装置（例えば、半導体メモリー）及び補助記憶装置（例えば、ハードディスクドライブ）を含む。記憶部４０は、複数の情報を記憶する。記憶部４０に記憶される複数の情報の詳細については後述する。
【００１３】
制御部１０は、表示部２０に第１画像２１及び第２画像２２を表示させる。本実施形態において、第１画像２１は、表示装置１が実行するネットワーク通信の設定に対応する。また、第２画像２２は、表示部２０が文字を表示するときに使用する言語と、その言語を入力するためのキーボードとの設定に対応する。キーボードは、ソフトウェアとして表示部２０に表示されてもよいし、物理的に表示装置１に設けられてもよい。
【００１４】
タッチパネル３０は、単数または複数の被検出物の接触を検出する。本実施形態において、ユーザーは、右手の人差し指Ｆ１（第１被検出物）と右手の親指Ｆ２（第２被検出物）とで表示面２０Ａを接触する。従って、タッチパネル３０は、表示部２０の表示面２０Ａへの人差し指Ｆ１の接触と、親指Ｆ２の接触とを検出する。
【００１５】
表示面２０Ａのうち第１画像２１に対応する領域への人差し指Ｆ１の接触と、表示面２０Ａのうち第２画像２２に対応する領域への親指Ｆ２の接触とが検出されたことに応じて、制御部１０は、第１画像２１に対応する第１情報（情報）と第２画像２２に対応する第２情報（情報）とを対話形式で受け付ける。制御部１０が第１情報を受け付けることで、第１画像２１に対応する設定が変更され、制御部１０が第２情報を受け付けることで、第２画像２２に対応する設定が変更される。
【００１６】
ここで、対話形式とは、表示部２０に表示される問に対して、ユーザーが解答を入力していくことで、制御部１０が情報を受け付けていく形式のことである。対話形式には、ウィザード形式及びワークフロー形式が含まれる。対話形式において、制御部１０は、第１情報及び第２情報の一方を受け付ける画面を表示部２０に表示させ、第１情報及び第２情報の一方を受け付ける画面に代えて、第１情報及び第２情報の他方を受け付ける画面を表示部２０に表示させる。本実施形態において、第１情報を受け付ける画面は、第１情報を受け付けるための質問を含み、第２情報を受け付ける画面は、第２情報を受け付けるための質問を含む。以下、図３を参照して、対話形式で第１情報と、第２情報とを制御部１０が対話形式で連続して受け付けることについて説明する。
【００１７】
図３（ａ）は、表示部２０に表示される初期画面２１０を示す。初期画面２１０は、複数の情報を対話形式で受け付けるとき、制御部１０が表示部２０に表示させる最初の画面である。制御部１０は、表示部２０に初期画面２１０を表示させることで、情報の受け付けの開始をユーザーに認識させる。本実施形態において、制御部１０は、表示部２０に所定の時間が経過するまで初期画面２１０を表示させた後、初期画面２１０に代えて第１画面２１１を表示部２０に表示させる。所定の時間は、ユーザーが任意に設定でき、例えば２秒である。
【００１８】
図３（ｂ）は、第１画面２１１を示す。第１画面２１１は、第１情報を受け付けるための質問を表示している。すなわち、第１画面２１１は、第１画像２１に対応する。第１画面２１１は、ボタン２１１ａと、ボタン２１１ｂと、ボタン２１１ｃとを含む。ボタン２１１ａは、第１情報の選択肢に対応する。表示面２０Ａのうちボタン２１１ａに対応する領域への接触が検出されると、制御部１０は、接触された選択肢を第１情報として受け付ける。例えば、ボタン２１１ａのうち、「ｓｅｔｔｉｎｇ  ｉｔｅｍ  Ａ」に対応する領域で接触が検出されると、制御部１０は、「ｓｅｔｔｉｎｇ  ｉｔｅｍ  Ａ」を第１情報として受け付ける。
【００１９】
ボタン２１１ｂ及びボタン２１１ｃは、表示部２０に表示される画面を遷移させるためのボタンである。表示面２０Ａのうちボタン２１１ｂに対応する領域への接触が検出されると、制御部１０は、第１画面２１１に代えて図３（ａ）に示す初期画面２１０を表示部２０に表示させる。一方、表示面２０Ａのうちボタン２１１ｃに対応する領域への接触が検出されると、制御部１０は、第１画面２１１に代えて図３（ｃ）に示す第２画面２１２を表示部２０に表示させる。
【００２０】
図３（ｃ）は、第２画面２１２を示す。第２画面２１２は、第２情報を受け付けるための質問を表示している。すなわち、第２画面２１２は、第２画像２２に対応する。第２画面２１２は、ボタン２１２ａと、ボタン２１２ｂと、ボタン２１２ｃとを含む。ボタン２１２ａは、第２情報の選択肢に対応する。表示面２０Ａのうちボタン２１２ａに対応する領域への接触が検出されると、制御部１０は、接触された選択肢を第２情報として受け付ける。制御部１０は、接触された選択肢を第２情報として受け付ける。例えば、ボタン２１２ａのうち、「ｓｅｔｔｉｎｇ  ｉｔｅｍ  Ｂ」に対応する領域で接触が検出されると、制御部１０は、「ｓｅｔｔｉｎｇ  ｉｔｅｍ  Ｂ」を第２情報として受け付ける。
【００２１】
ボタン２１２ｂ及びボタン２１２ｃは、表示部２０に表示される画面を遷移させるためのボタンである。表示面２０Ａのうちボタン２１２ｂに対応する領域への接触が検出されると、制御部１０は、第２画面２１２に代えて図３（ｂ）に示す第１画面２１１を表示部２０に表示させる。一方、表示面２０Ａのうちボタン２１２ｃに対応する領域への接触が検出されると、制御部１０は、再び、表示部２０に第１画像２１及び第２画像２２を表示させる。
【００２２】
記憶部４０に記憶される複数の情報は、受付可否情報、スキップ情報、及び順番を示す情報を含む。制御部１０は、受付可否情報、スキップ情報、及び順番を示す情報を参照して、単数又は複数の情報を受け付ける。以下、受付可否情報、スキップ情報、及び順番を示す情報について詳細に説明する。
【００２３】
受付可否情報は、第１情報と第２情報とを対話形式で連続して受け付けることができるか否を示す。制御部１０が第１情報と第２情報とを併せて受け付けることができる場合、受付可否情報は、第１情報と第２情報とを対話形式で連続して受け付けることができることを示す。
【００２４】
一方、制御部１０が第１情報と第２情報とを併せて受け付けることができない場合、受付可否情報は、第１情報と第２情報とを対話形式で連続して受け付けることができないことを示す。制御部１０は、受付可否情報を参照して、第１情報と第２情報とを対話形式で連続して受け付けることができるか否かを判定する。制御部１０は、受付可否情報を参照して、第１情報と第２情報とを対話形式で連続して受け付けることができないと判定した場合、第１情報及び第２情報のうち、いずれか一方を受け付ける。
【００２５】
以下、表示装置１が、両面読取機能と連続読取機能とを有する画像形成装置に搭載されている場合を例に挙げて、受付可否情報について説明する。両面読取機能とは、原稿の両面に形成されている画像を読み取る機能のことである。連続読取機能とは、原稿の画像を連続して読み取る機能のことである。この画像形成装置が、両面読取機能と連続読取機能とを併用して実行することが出来ない場合、制御部１０は、両面読取機能に対応する情報と、連続読取機能に対応する情報とを併せて受け付けることができない。従って、制御部１０は、両面読取機能に対応する情報と連続読取機能に対応する情報とを連続して受け付けることが出来ない。その結果、第１画像２１が両面読取機能に対応し、第２画像２２が連続読取機能に対応する場合、受付可否情報は、第１情報と第２情報とを連続して受け付けできないことを示す。
【００２６】
順番を示す情報は、制御部１０が第１情報と第２情報とを受け付けるときの順番を示す。制御部１０は、受付可否情報を参照して、第１情報と第２情報とを連続して受け付けることができると判定した場合、順番を示す情報を参照して、第１情報と第２情報とを受け付ける順番を決定する。
【００２７】
制御部１０は、第１画像２１に対応する第１画面２１１と第２画像２２に対応する第２画面２１２とを受け付ける順番に従って表示部２０に表示させる。そして、制御部１０は、第１情報と、第２情報とを受け付ける順番に従って対話形式で受け付ける。
【００２８】
以下、順番を示す情報が、第２情報より、第１情報を先に受け付けることを示している場合を例に挙げて、順番を示す情報について説明する。制御部１０は、まず、表示部２０に初期画面２１０を表示させる。初期画面２１０が表示されてから所定時間が経過すると、制御部１０は、初期画面２１０に代えて第１画像２１に対応する第１画面２１１を表示させる。そして、制御部１０は、第１情報を受け付ける。その後、制御部１０は、第１画面２１１に代えて第２画像２２に対応する第２画面２１２を表示部２０に表示させる。そして、制御部１０は、第２情報を受け付ける。その結果、制御部１０は、第２情報より、第１情報を先に受け付ける。
【００２９】
スキップ情報は、第１情報と第２情報とのうちいずれかの情報の受付をスキップするか否かを示す。制御部１０は、受付可否情報を参照して、第１情報と第２情報とを連続して受け付けることができないと判定した場合、第１情報及び第２情報のうちいずれか一方を受け付ける。すなわち、第１情報と第２情報とを連続して受け付けることができないと判定された場合、制御部１０は、第１情報及び第２情報のうちいずれか一方を受け付けない。
【００３０】
制御部１０は、スキップ情報を参照して、第１情報と第２情報とのうち、スキップすることが示された情報の受け付けをスキップし、スキップすることが示されていない情報を受け付ける。
【００３１】
以下、スキップ情報が、第１情報と第２情報とのうち、第１情報をスキップすることを示している場合を例に挙げて、スキップ情報について説明する。制御部１０は、まず、表示部２０に初期画面２１０を表示させる。制御部１０は、初期画面２１０が表示されてから所定時間が経過したあと、第２画像２２に対応する第２画面２１２を表示部２０に表示させる。そして、制御部１０は、第２情報を受け付ける。その後、制御部１０は、第２画面２１２に代えて第１画像２１及び第２画像２２を表示部２０に表示させる。すなわち、制御部１０は、第１画像２１に対応する第１画面２１１を表示部２０に表示させず、第１情報を受け付けない。
【００３２】
以上、図１〜図３を参照して説明したように、本実施形態によれば、表示部２０の表示面２０Ａのうち、第１画像２１に対応する領域への接触と第２画像２２に対応する領域への接触とが検出されたことに応じて、第１情報と第２情報とを対話形式で受け付ける。従って、人差し指Ｆ１と親指Ｆ２との表示面２０Ａへの接触が検出されるだけで、第１情報と第２情報とを対話形式で受け付ける。その結果、第１情報と第２情報とを対話形式で受け付ける処理を予め登録する操作を不要とし、ユーザーは、簡易な操作で第１情報と第２情報とを対話形式で入力できる。
【００３３】
また、本実施形態によれば、第１情報と第２情報とを対話形式で受け付ける。従って、ユーザーは、複数の情報を連続して入力できる。その結果、ユーザーは、複数の設定の情報を一連の操作で簡易に変更できる。
【００３４】
さらに、本実施形態によれば、第１情報と第２情報とを連続して受け付けることが出来ない場合、表示部２０は、受け付けることが出来ない情報を受け付けるための画面を表示しない。従って、受け付けることが出来ない情報に対応する画面が表示される場合と比較して、情報を受け付けることができない理由をユーザーに検討させない。その結果、ユーザーが複数の設定の情報を変更するときの操作の負荷を軽減できる。
【００３５】
次に、図４を参照して表示装置１が実行する情報受付制御について説明する。図４は、情報受付制御を示すフローチャートである。表示装置１は、ステップＳ１０〜ステップＳ８０を実行することによって情報を受け付ける。ステップＳ１０において、タッチパネル３０は、表示面２０Ａのうち、第１画像２１に対応する領域と第２画像２２に対応する領域とへの接触とを検出する。ステップＳ２０において、制御部１０は、記憶部４０に記憶される受付可否情報を参照して、第１情報と第２情報とを連続して受け付けることができるか否かを判定する。
【００３６】
ステップＳ２０において制御部１０が肯定的判定（ＹＥＳ）をする場合、すなわち、制御部１０が第１情報と第２情報とを連続して受け付けることができる場合、処理はステップＳ２５に進む。ステップＳ２５において、制御部１０は、順番を示す情報を参照して、第１情報と第２情報とを受け付ける順番を決定する。以下、順番を示す情報が、第２情報より第１情報を先に受け付けることを示す場合を例に挙げて、情報受付制御について引き続き説明する。
【００３７】
ステップＳ３０において、表示部２０は、第１画面２１１を表示する。第１画面２１１は、第１情報を受け付けるための画面である。ステップＳ４０において、制御部１０は、第１情報を受け付ける。ステップＳ５０において、表示部２０は、第１画面２１１に代えて第２情報を受け付ける第２画面２１２を表示する。第２画面２１２は、第２情報を受け付けるための画面である。ステップＳ６０において、制御部１０は、第２情報を対話形式で受け付ける。
【００３８】
一方、ステップＳ２０において制御部１０が否定的判定（ＮＯ）をする場合、すなわち、制御部１０が第１情報と第２情報とを連続して受け付けることができない場合、処理はステップＳ７０に進む。以下、スキップ情報が、第１情報の受け付けのスキップを示す場合を例に挙げて、情報受付制御について引き続き説明する。
【００３９】
ステップＳ７０において、表示部２０は、スキップ情報を参照して、第１情報と第２情報とのうち、スキップすることが示されていない第２情報を受け付ける第２画面２１２を表示する。ステップＳ８０において、制御部１０は、スキップすることが示されていない第２情報を受け付ける。すなわち、制御部１０は、ステップＳ７０において、第１画像２１に対応する第１画面２１１を表示部２０に表示させない。また、制御部１０は、ステップＳ８０において、第１情報を受け付けない。
【００４０】
本実施形態によれば、表示面２０Ａのうち、第１画像２１に対応する領域への接触と第２画像２２に対応する領域への接触とが検出されたことに応じて、第１情報と第２情報とを対話形式で受け付ける。従って、ユーザーが表示面２０Ａを接触するだけで、制御部１０は、第１情報と第２情報とを対話形式で受け付ける。その結果、ユーザーは、簡易な操作で、複数の情報を一連の操作で入力できる。
【００４１】
次に、図１及び図５を参照して、表示装置１が実行するスクロール制御について説明する。図５（ａ）及び図５（ｂ）は、表示装置１が実行するスクロール制御を示す。制御部１０は、表示部２０に第３画像２３をさらに表示させる。第３画像２３は、第１画像２１及び第２画像２２と異なる。本実施形態において、第３画像２３は、余白である。
【００４２】
第１画像２１に対応する領域への人差し指Ｆ１の接触と、表示面２０Ａのうち第３画像２３に対応する領域への親指Ｆ２の接触とが検出されている間、制御部１０は、複数の第４画像２４と、複数の第４画像２４のうち最後尾の画像に後続する画像とを、矢印Ｄ１に沿うように、第１画像２１に向けてスクロールさせる。複数の第４画像２４は、第１画像２１と第３画像２３との間に表示されている。
【００４３】
制御部１０は、スクロールしている複数の第４画像２４のうち第１画像２１に到達した第４画像２４を非表示にする。本実施形態において、図５（ａ）では、複数の第４画像２４のうち「Ｓｏｕｎｄ」に対応する第４画像２４が第１画像２１に連続している。従って、複数の第４画像２４を矢印Ｄ１に沿ってスクロールさせると、「Ｓｏｕｎｄ」に対応する第４画像２４が第１画像２１に到達し、制御部１０は、「Ｓｏｕｎｄ」に対応する第４画像２４を非表示にする。
【００４４】
一方、制御部１０が複数の第４画像２４をスクロールさせることによって、非表示であった第２画像２２としての第４画像２４が表示部２０に表示される。第２画像２２は、「Ｄａｔｅ＆ｔｉｍｅ」に対応している。ここで、非表示とは、ユーザーが表示部２０を介して視認できない状態のことである。非表示とは、表示部２０に表示されていない領域に配置されることであってもよいし、背景色と同程度の表示形態（例えば、背景色と同程度の色、明度、及び／又は彩度）に変更することであってもよい。
【００４５】
図５（ｂ）に示すように、親指Ｆ２が第３画像２３に対応する領域から、第１画像２１と第３画像２３との間に表示された第２画像２２に対応する領域へ移動したことが検出されたことに応じて、制御部１０は、第１情報と第２情報とを対話形式で受け付ける。すなわち、矢印Ｄ２に示すように、親指Ｆ２の接触が第３画像２３に対応する領域から、第２画像２２に対応する領域へ移動したことが検出されたことに応じて、制御部１０は、第１情報と第２情報とを対話形式で受け付ける。
【００４６】
図１及び図５を参照して説明したように、本実施形態によれば、第３画像２３に対応する領域が接触されている間、複数の第４画像２４と、複数の第４画像２４の最後尾に後続する画像とがスクロールされる。従って、ユーザーは、表示面２０Ａを接触するだけで、所望の画像を捜索できる。
【００４７】
次に、図１、図５及び図６を参照して、スクロール制御について説明する。図６は、スクロール制御を示すフローチャートである。ステップＳ１００において、タッチパネル３０は、第１画像２１に対応する領域と第３画像２３に対応する領域とへの接触を検出する。ステップＳ１１０において、制御部１０は、複数の第４画像２４と、複数の第４画像２４のうち最後尾の画像に後続する画像とを第１画像２１に向けてスクロールする。
【００４８】
ステップＳ１２０において、タッチパネル３０は、第３画像２３に対応する領域を接触する親指Ｆ２が、表示面２０Ａを接触しつつ第２画像２２に対応する領域を接触する位置へ移動することを検出する。ステップＳ１３０において、制御部１０は、第１情報と第２情報とを対話形式で受け付ける。ステップＳ１３０に示す処理は、図４に示すステップＳ２０からステップＳ８０に示す処理と同等である。
【００４９】
以上、図１、図５及び図６を参照して説明したように、本実施形態によれば、第３画像２３に対応する領域が接触されている間、複数の第４画像２４と、複数の第４画像２４の最後尾に後続する画像とがスクロールされる。従って、ユーザーは、簡易な操作で、所望の画像を捜索できる。
【００５０】
（実施形態２）
図７を参照して、本発明の実施形態２に係る画像形成装置２について説明する。図７は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００５１】
画像形成装置２は、制御部１０と、記憶部４０と、原稿搬送部１００と、画像読取部１１０と、収納部１２０と、搬送部１３０と、画像形成部１４０と、定着部１５０と、排出部１６０とを備える。シートＴは、シート搬送方向に沿って画像形成装置２の内部を搬送される。
【００５２】
制御部１０は、実施形態１に係る制御部１０として機能し、表示部２０は、実施形態１に係る表示部２０として機能し、タッチパネル３０は、実施形態１に係るタッチパネル３０とし、記憶部４０は、実施形態１に係る記憶部４０として機能する。従って、画像形成装置２に備えられる制御部１０、表示部２０、タッチパネル３０、及び記憶部４０は、実施形態１に係る表示装置１を構成する。
【００５３】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００５４】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００５５】
画像の転写されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００５６】
記憶部１７０は、主記憶装置（例えば、半導体メモリー）及び補助記憶装置（例えば、ハードディスクドライブ）を含む。
【００５７】
制御部１０は、画像形成装置２の各要素を制御する。具体的には、制御部１０が、記憶部１７０に格納されたコンピュータープログラムを実行することにより、表示部２０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００５８】
以上、図７を参照して説明したように、実施形態２によれば、画像形成装置２は、実施形態１に係る表示装置１として機能する。従って、実施形態１と同様に、複数のファイルを連続して選択できる。その他、実施形態１と同様の効果を得ることができる。
【００５９】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６０】
（１）図２を参照して説明したように、ユーザーは、右手の人差し指Ｆ１と右手の親指Ｆ２とで表示面２０Ａを接触した。ただし、ユーザーは、右手のうち、人差し指Ｆ１及び親指Ｆ２と異なる指で表示面２０Ａを接触してもよいし、左手の指で表示面２０Ａを接触してもよい。
【００６１】
（２）図２を参照して説明したように、表示面２０Ａのうち、第１画像２１に対応する領域への接触と、第２画像２２に対応する領域への接触とが検出されたことに応じて、制御部１０は、第１情報と第２情報とを対話形式で受け付けた。ただし、３以上の画像に対応する領域への接触が検出されたことに応じて、制御部１０は、３以上の画像の各々に対応する情報を対話形式で受け付ける。
【００６２】
（３）図２を参照して説明したように、表示面２０Ａのうち第１画像２１に対応する領域への人差し指Ｆ１の接触と、表示面２０Ａのうち第２画像２２に対応する領域への親指Ｆ２の接触とが検出された。ただし、人差し指Ｆ１が第２画像２２に対応する領域を接触してもよいし、親指Ｆ２が第１画像２１に対応する領域を接触してもよい。
【００６３】
（４）図５を参照して説明したように、第１画像２１に対応する領域への接触と、第３画像２３に対応する領域への接触とが検出されている間、第１画像２１と第３画像２３との間に表示されている複数の第４画像２４が第１画像２１に向けてスクロールされた。ただし、第１画像２１とは異なる画像に対応する領域への接触と、第３画像２３に対応する領域への接触とが検出されている間、第１画像２１とは異なる画像と第３画像２３との間に表示されている複数の第４画像２４が、第１画像２１とは異なる画像に向けてスクロールされる。
【００６４】
（５）図５を参照して説明したように、第１画像２１に対応する領域への接触と、第３画像２３に対応する領域への接触とが検出されている間、第１画像２１と第３画像２３との間に表示されている複数の第４画像２４が第１画像２１に向けてスクロールされた。ただし、第１画像２１に対応する領域と第４画像２４に対応する領域と第３画像２３に対応する領域とへの接触が検出されている間、接触が検出されている第４画像２４と第３画像２３との間に表示されている複数の第４画像２４が第１画像２１に向けてスクロールされる。
【産業上の利用可能性】
【００６５】
本発明は、表示装置及び画像形成装置に関するものであり、産業上の利用可能性を有する。
【符号の説明】
【００６６】
１      表示装置
１０    制御部
２０    表示部
２０Ａ  表示面
２１    第１画像
２２    第２画像
２３    第３画像
３０    タッチパネル
【図１】
0006350470.tif 000002
【図２】
0006350470.tif 000003
【図３】
0006350470.tif 000004
【図４】
0006350470.tif 000005
【図５】
0006350470.tif 000006
【図６】
0006350470.tif 000007
【図７】
0006350470.tif 000008